(57)【要約】【課題】予め数箇所に設置した位置情報発信機からの位置情報をもとに、送信機を持つ話者の立ち位置すなわち音源位置を特定し、それに応じて受信再生側での音像位置を制御することにより、送信機や受信機の位置や電波状況といった環境の影響を受けにくく、安定した高精度なサラウンド効果が実現できるワイヤレスマイクの技術を提供する。【解決手段】複数の位置情報発信機Ｐから発信する位置情報をもとに、一つ以上のワイヤレスマイク送信機Ｍで計算した送信機自体の位置を受信システムＲＳへ伝達してサラウンド効果を実現する。受信システムＲＳはさらに、アンテナＡＡ及びＡＢでの各受信信号をアンテナデバイダーＤにより、各送信機Ｍを担当する各受信機Ｒへ分配し、個々の送信機のオーディオ出力と位置データに基づいて、サラウンド回路Ｓにより各スピーカーＳＰの出力を生成する。【選択図】図1
2006060615.tif 000002
【特許請求の範囲】
【請求項１】
複数箇所に設置し互いに異なる位置情報を発信する位置情報発信機と、
音声の入力、変調及び電波送受信の送信側回路手段を備えたワイヤレスマイク送信機と、
電波受信、復調及び増幅出力の受信側回路手段を備えた受信機と、
を用いるワイヤレスマイクシステムにおいて、
前記マイク送信機は、
前記各位置情報発信機から発信される位置情報を受信する位置情報受信手段と、
受信時における所定の受信状態情報を伴う前記位置情報又はこの位置情報に基づいて計算したマイク送信機の位置を表す位置情報を音声の情報と共に前記受信機へ転送する転送手段と、
を前記送信側回路手段を用いて実現し、
前記受信機は、前記送信機から送信された前記位置情報に基いてその送信機の位置している立ち位置を認識する位置認識手段と、複数の各スピーカごとの音声出力を互いに異同させることにより、前記立ち位置に対応して音像の位置を制御するサラウンド手段と、を前記受信側回路手段を用いて実現することを特徴とするワイヤレスマイクシステム。
【請求項２】
前記マイク送信機の前記転送手段が、受信した前記位置情報に基づいてそのマイク送信機の位置を計算したうえ、音声の情報と共に前記受信機へ転送することを特徴とする請求項１記載のワイヤレスマイクシステム。
【請求項３】
前記マイク送信機の前記転送手段は、受信した前記位置情報をそのまま音声の情報と共に前記受信機へ転送し、
前記受信機の前記位置認識手段が、転送を受けた前記位置情報に基づいて前記マイク送信機の位置を計算することを特徴とする請求項１記載のワイヤレスマイクシステム。
【請求項４】
前記位置情報発信機は、予め記憶された位置情報に応じ、ＣＰＵがＶＣＯ（電圧制御発信器）により制御するＵＰ（スキャン）コンバータからの出力を変調器及びＲｆアンプを経て発信することを特徴とする請求項１から３のいずれか一項に記載のワイヤレスマイクシステム。
【請求項５】
前記マイク送信機は、ＣＰＵで情報を共有するとともにアンテナ共用器で送受信アンテナを共用する位置情報検出用受信系統及びマイクロホン用送信系統を備え、
前記位置情報検出用受信系統は、前記アンテナから前記アンテナ共用器経由で受信した位置情報の信号を、Ｒｆアンプと、前記ＣＰＵがＶＣＯ（電圧制御発信器）により制御するＤＯＷＮ（スキャン）コンバータと、復号器又は復調器の少なくとも一方と、で処理することにより位置情報及びＲＳＳＩ（受信信号強度表示信号）として前記ＣＰＵへ提供し、
前記ＣＰＵは前記位置情報及びＲＳＳＩから前記マイク送信機の位置を表す位置データを計算し、
前記マイクロホン用送信系統は、マイクロホンからの入力を、マイクアンプと、Ａ／Ｄ変換部と、変調器と、前記ＣＰＵがＶＣＯ（電圧制御発信器）により制御するＵＰ（スキャン）コンバータと、Ｒｆアンプと、で処理するにあたり前記位置データを加えて前記アンテナ共用器経由で前記アンテナから送信する
ことを特徴とする請求項３又は４記載のワイヤレスマイクシステム。
【請求項６】
複数の前記マイク送信機ごとにそれぞれ対応する複数の前記受信機に加え、
各アンテナが受信した各マイク送信機ごとの信号を対応する各前記受信機に分配する分配手段と、
各前記受信機からの前記各マイク送信機ごとのオーディオ出力及び位置データをもとに各スピーカチャンネル出力を生成するサラウンド合成手段と、
を備えたことを特徴とする請求項１から５のいずれか一項に記載のワイヤレスマイクシステム。
【請求項７】
前記受信機は、
前記分配手段から入力され、Ｒｆアンプと、ＣＰＵがＶＣＯ（電圧制御発信器）により制御する各ＤＯＷＮ（スキャン）コンバータと、復号器と、で処理した各アンテナごとの信号のうち、
所定の選択回路が受信レベルの高さ及びデータ誤り率の低さの少なくとも一方を含む所定の基準でいずれかの信号を選択し、
選択した信号に含まれる音声信号部分は、Ｄ／Ａ変換部及びオーディオアンプを経てオーディオ出力とし、
前記選択した信号から得る前記位置情報は前記ＣＰＵによる処理を経て前記マイク送信機の位置を表す位置データとして、前記サラウンド手段に提供する
ように構成されたことを特徴とする請求項６記載のワイヤレスマイクシステム。
【請求項８】
複数箇所に設置し互いに異なる位置情報を発信する位置情報発信機と、
音声の入力、変調及び電波送受信の送信側回路手段を備えたワイヤレスマイク送信機と、
電波受信、復調及び増幅出力の受信側回路手段を備えた受信機と、
を備えたワイヤレスマイクシステムを用いる音声伝送再生方法において、
前記マイク送信機は、
前記各位置情報発信機から発信される位置情報を受信する位置情報受信処理と、
受信時における所定の受信状態情報を伴う前記位置情報又はこの位置情報に基づいて計算したマイク送信機の位置を表す位置情報を音声の情報と共に前記受信機へ転送する転送処理と、
を前記送信側回路手段を用いて実行し、
前記受信機は、前記送信機から送信された前記位置情報に基いてその送信機の位置している立ち位置を認識する位置認識処理と、複数の各スピーカごとの音声出力を互いに異同させることにより、前記立ち位置に対応して音像の位置を制御するサラウンド処理と、を前記受信側回路手段を用いて実行することを特徴とする音声伝送再生方法。
【請求項９】
前記マイク送信機における前記転送処理が、受信した前記位置情報に基づいてそのマイク送信機の位置を計算したうえ、音声の情報と共に前記受信機へ転送することを特徴とする請求項８記載の音声伝送再生方法。
【請求項１０】
前記マイク送信機における前記転送処理は、受信した前記位置情報をそのまま音声の情報と共に前記受信機へ転送し、
前記受信機における前記位置認識処理が、転送を受けた前記位置情報に基づいて前記マイク送信機の位置を計算することを特徴とする請求項８記載の音声伝送再生方法。
【請求項１１】
前記位置情報発信機は、予め記憶された位置情報に応じ、ＣＰＵがＶＣＯ（電圧制御発信器）により制御するＵＰ（スキャン）コンバータからの出力を変調器及びＲｆアンプを経て発信することを特徴とする請求項８から１０のいずれか一項に記載の音声伝送再生方法。
【請求項１２】
前記マイク送信機は、ＣＰＵで情報を共有するとともにアンテナ共用器で送受信アンテナを共用する位置情報検出用受信系統及びマイクロホン用送信系統を備え、
前記マイク送信機は前記位置情報検出用受信系統により、前記アンテナから前記アンテナ共用器経由で受信した位置情報の信号を、Ｒｆアンプと、前記ＣＰＵがＶＣＯ（電圧制御発信器）により制御するＤＯＷＮ（スキャン）コンバータと、復号器又は復調器の少なくとも一方と、で処理することにより位置情報及びＲＳＳＩ（受信信号強度表示信号）として前記ＣＰＵへ提供し、
前記マイク送信機は前記ＣＰＵにより、前記位置情報及びＲＳＳＩから前記マイク送信機の位置を表す位置データを計算し、
前記マイク送信機は前記マイクロホン用送信系統により、マイクロホンからの入力を、マイクアンプと、Ａ／Ｄ変換部と、変調器と、前記ＣＰＵがＶＣＯ（電圧制御発信器）により制御するＵＰ（スキャン）コンバータと、Ｒｆアンプと、で処理するにあたり前記位置データを加えて前記アンテナ共用器経由で前記アンテナから送信する
ことを特徴とする請求項１０又は１１記載の音声伝送再生方法。
【請求項１３】
複数の前記マイク送信機ごとにそれぞれ対応する複数の前記受信機に加え、アンテナ分配器と、サラウンド合成回路と、を備えた前記ワイヤレスマイクシステムを用いる音声伝送再生方法において、
前記アンテナ分配器は、各アンテナが受信した各マイク送信機ごとの信号を対応する各前記受信機に分配する分配処理を行い、
前記サラウンド合成回路は、各前記受信機からの前記各マイク送信機ごとのオーディオ出力及び位置データをもとに各スピーカチャンネル出力を生成するサラウンド合成処理を行う
ことを特徴とする請求項８から１２のいずれか一項に記載の音声伝送再生方法。
【請求項１４】
前記受信機は、
選択回路を備え、
前記アンテナ分配器から入力され、Ｒｆアンプと、ＣＰＵがＶＣＯ（電圧制御発信器）により制御する各ＤＯＷＮ（スキャン）コンバータと、復号器と、で処理した各アンテナごとの信号のうち、
前記選択回路により受信レベルの高さ及びデータ誤り率の低さの少なくとも一方を含む所定の基準でいずれかの信号を選択し、
選択した信号に含まれる音声信号部分は、Ｄ／Ａ変換部及びオーディオアンプを経てオーディオ出力とし、
前記選択した信号から得る前記位置情報は前記ＣＰＵによる処理を経て前記マイク送信機の位置を表す位置データとして、前記サラウンド合成回路に提供する
ことを特徴とする請求項１３記載の音声伝送再生方法。
【請求項１５】
音声の入力、変調及び電波送受信の送信側回路手段を用いて、
複数箇所に設置された各位置情報発信機から到来する互いに異なる位置情報を受信するとともに各位置情報の受信状態情報を得る位置情報受信手段と、
前記受信状態情報を伴わせて前記位置情報を音声の情報と共に外部の受信機へ送信する転送手段と、
を実現することを特徴とするワイヤレスマイク送信機。
【請求項１６】
電波受信、復調及び増幅出力の受信側回路手段を用いて、
ワイヤレスマイク送信機から受信した音声の情報から受信音声を復調出力する手段と、
複数箇所に設置された各位置情報発信機からの互いに異なる位置情報であって前記送信機が受信しその受信状態情報を伴わせて転送のために再発信したものを受信すると共に、その位置情報及び受信状態情報をもとにその送信機の立ち位置を計算する位置認識手段と、
複数の各音声出力チャンネルごとの音声出力を互いに異同させることにより、前記立ち位置に対応して音像の位置を制御するサラウンド手段と、
を実現することを特徴とする受信機。
【請求項１７】
音声の入力、変調及び電波送受信の送信側回路手段を用いて、
複数箇所に設置された各位置情報発信機から到来する互いに異なる位置情報を受信するとともに各位置情報の受信状態情報を得る位置情報受信手段と、
前記位置情報及び前記受信状態情報をもとにその送信機の立ち位置を計算するとともに、その立ち位置を表す位置データを音声の情報と共に外部の受信機へ転送する転送手段と、
を実現することを特徴とするワイヤレスマイク送信機。
【請求項１８】
電波受信、復調及び増幅出力の受信側回路手段を用いて、
ワイヤレスマイク送信機から受信した音声の情報から受信音声を復調出力する手段と、
前記送信機から送信された位置データを受信すると共に、その位置データからその送信機の立ち位置を取り出す位置認識手段と、
複数の各音声出力チャンネルごとの音声出力を互いに異同させることにより、前記立ち位置に対応して音像の位置を制御するサラウンド手段と、
を実現することを特徴とする受信機。
【請求項１９】
音声の入力、変調及び電波送受信の送信側回路手段を備えたワイヤレスマイク送信機が、その送信側回路手段を用いて、
複数箇所に設置された各位置情報発信機から到来する互いに異なる位置情報を受信するとともに各位置情報の受信状態情報を得る位置情報受信処理と、
前記受信状態情報を伴わせて前記位置情報を音声の情報と共に外部の受信機へ送信する転送処理と、
を実行することを特徴とする音声送信方法。
【請求項２０】
電波受信、復調及び増幅出力の受信側回路手段を備えた受信機が、その受信側回路手段を用いて、
ワイヤレスマイク送信機から受信した音声の情報から受信音声を復調出力する処理と、
複数箇所に設置された各位置情報発信機からの互いに異なる位置情報であって前記送信機が受信しその受信状態情報を伴わせて転送のために再発信したものを受信すると共に、その位置情報及び受信状態情報をもとにその送信機の立ち位置を計算する位置認識処理と、
複数の各音声出力チャンネルごとの音声出力を互いに異同させることにより、前記立ち位置に対応して音像の位置を制御するサラウンド処理と、
を実行することを特徴とする音声受信再生方法。
【請求項２１】
音声の入力、変調及び電波送受信の送信側回路手段を備えたワイヤレスマイク送信機が、その送信側回路手段を用いて、
複数箇所に設置された各位置情報発信機から到来する互いに異なる位置情報を受信するとともに各位置情報の受信状態情報を得る位置情報受信処理と、
前記位置情報及び前記受信状態情報をもとにその送信機の立ち位置を計算するとともに、その立ち位置を表す位置データを音声の情報と共に外部の受信機へ転送する転送処理と、
を実行することを特徴とする音声送信方法。
【請求項２２】
電波受信、復調及び増幅出力の受信側回路手段を備えた受信機が、その受信側回路手段を用いて、
ワイヤレスマイク送信機から受信した音声の情報から受信音声を復調出力する処理と、
前記送信機から送信された位置データを受信すると共に、その位置データからその送信機の立ち位置を取り出す位置認識処理と、
複数の各音声出力チャンネルごとの音声出力を互いに異同させることにより、前記立ち位置に対応して音像の位置を制御するサラウンド処理と、
を実行することを特徴とする音声受信再生方法。
【請求項２３】
音声の入力、変調及び電波送受信の送信側回路手段を備えたワイヤレスマイク送信機のＣＰＵを制御することにより、その送信側回路手段を用いて、
複数箇所に設置された各位置情報発信機から到来する互いに異なる位置情報を受信するとともに各位置情報の受信状態情報を得る位置情報受信処理と、
前記受信状態情報を伴わせて前記位置情報を音声の情報と共に外部の受信機へ送信する転送処理と、
を実行させることを特徴とする音声送信プログラム。
【請求項２４】
電波受信、復調及び増幅出力の受信側回路手段を備えた受信機のＣＰＵを制御することにより、その受信側回路手段を用いて、
ワイヤレスマイク送信機から受信した音声の情報から受信音声を復調出力する処理と、
複数箇所に設置された各位置情報発信機からの互いに異なる位置情報であって前記送信機が受信しその受信状態情報を伴わせて転送のために再発信したものを受信すると共に、その位置情報及び受信状態情報をもとにその送信機の立ち位置を計算する位置認識処理と、
複数の各音声出力チャンネルごとの音声出力を互いに異同させることにより、前記立ち位置に対応して音像の位置を制御するサラウンド処理と、
を実行させることを特徴とする音声受信再生プログラム。
【請求項２５】
音声の入力、変調及び電波送受信の送信側回路手段を備えたワイヤレスマイク送信機のＣＰＵを制御することにより、その送信側回路手段を用いて、
複数箇所に設置された各位置情報発信機から到来する互いに異なる位置情報を受信するとともに各位置情報の受信状態情報を得る位置情報受信処理と、
前記位置情報及び前記受信状態情報をもとにその送信機の立ち位置を計算するとともに、その立ち位置を表す位置データを音声の情報と共に外部の受信機へ転送する転送処理と、
を実行させることを特徴とする音声送信プログラム。
【請求項２６】
電波受信、復調及び増幅出力の受信側回路手段を備えた受信機のＣＰＵを制御することにより、その受信側回路手段を用いて、
ワイヤレスマイク送信機から受信した音声の情報から受信音声を復調出力する処理と、
前記送信機から送信された位置データを受信すると共に、その位置データからその送信機の立ち位置を取り出す位置認識処理と、
複数の各音声出力チャンネルごとの音声出力を互いに異同させることにより、前記立ち位置に対応して音像の位置を制御するサラウンド処理と、
を実行させることを特徴とする音声受信再生プログラム。
【発明の詳細な説明】
【技術分野】
【０００１】
本発明は、ワイヤレスマイクの技術の改良に関する。
【背景技術】
【０００２】
近年、エレクトロニクス技術の進展に伴い、各種会場で用いるようなワイヤレスマイクシステムが広く普及している。従来のワイヤレスマイクシステムは、ワイヤレスマイク送信機（マイク送信機や単に送信機とも呼ぶ）に入力された音声を受信機に伝送し、受信機側で音声を再生するだけのものであり、話者の立ち位置等の音源位置を判別するものではなかった。このため、話者等が演壇や会場内のどこへ移動しても、各スピーカからは常に同じ音量で音声が再生されていた。
【０００３】
これに対し、再生音声にサラウンド効果を加えるために、受信機側のアンテナを複数箇所に設け、送信機から各アンテナに到達する信号電波の電界強度（受信レベル）等の異同に基いてマイク送信機の位置を判定する提案もある（例えば特許文献１参照）。
【特許文献１】特開平７−２８８５１２
【発明の開示】
【発明が解決しようとする課題】
【０００４】
しかしながら、電界強度等の異同は、各アンテナ間の相対的な位置や角度、周囲の電波状況や雑音等の環境に応じて変動するもので、位置の判定精度が不十分という問題があった。
【０００５】
本発明は、上記のような従来技術の課題を解決するもので、その目的は、予め数箇所に設置した位置情報発信機からの位置情報をもとに、送信機を持つ話者の立ち位置すなわち音源位置を特定し、それに応じて受信再生側での音像位置を制御することにより、送信機や受信機の位置や電波状況といった環境の影響を受けにくく、安定した高精度なサラウンド効果が実現できるワイヤレスマイクの技術を提供することである。
【課題を解決するための手段】
【０００６】
上記の目的を達成するため、請求項１の発明は、複数箇所に設置し互いに異なる位置情報を発信する位置情報発信機と、音声の入力、変調及び電波送受信の送信側回路手段を備えたワイヤレスマイク送信機と、電波受信、復調及び増幅出力の受信側回路手段を備えた受信機と、を用いるワイヤレスマイクシステムにおいて、    前記マイク送信機は、前記各位置情報発信機から発信される位置情報を受信する位置情報受信手段と、受信時における所定の受信状態情報を伴う前記位置情報又はこの位置情報に基づいて計算したマイク送信機の位置を表す位置情報を音声の情報と共に前記受信機へ転送する転送手段と、を前記送信側回路手段を用いて実現し、前記受信機は、前記送信機から送信された前記位置情報に基いてその送信機の位置している立ち位置を認識する位置認識手段と、複数の各スピーカごとの音声出力を互いに異同させることにより、前記立ち位置に対応して音像の位置を制御するサラウンド手段と、を前記受信側回路手段を用いて実現することを特徴とする。
【０００７】
請求項８の発明は、請求項１の発明を方法という見方から捉えたもので、複数箇所に設置し互いに異なる位置情報を発信する位置情報発信機と、音声の入力、変調及び電波送受信の送信側回路手段を備えたワイヤレスマイク送信機と、電波受信、復調及び増幅出力の受信側回路手段を備えた受信機と、を備えたワイヤレスマイクシステムを用いる音声伝送再生方法において、    前記マイク送信機は、前記各位置情報発信機から発信される位置情報を受信する位置情報受信処理と、受信時における所定の受信状態情報を伴う前記位置情報又はこの位置情報に基づいて計算したマイク送信機の位置を表す位置情報を音声の情報と共に前記受信機へ転送する転送処理と、を前記送信側回路手段を用いて実行し、前記受信機は、前記送信機から送信された前記位置情報に基いてその送信機の位置している立ち位置を認識する位置認識処理と、複数の各スピーカごとの音声出力を互いに異同させることにより、前記立ち位置に対応して音像の位置を制御するサラウンド処理と、を前記受信側回路手段を用いて実行することを特徴とする。
【０００８】
本発明では、予め数箇所に設置した位置情報発信機からの位置情報をもとに、送信機を持つ話者の立ち位置すなわち音源位置を特定し、それに応じて受信再生側での音像位置を制御することにより、送信機や受信機の位置や電波状況といった環境の影響を受けにくく、安定した高精度なサラウンド効果が実現できるワイヤレスマイクの技術を提供することが可能となる。
【０００９】
請求項２の発明は、請求項１記載のワイヤレスマイクシステムにおいて、前記マイク送信機の前記転送手段が、受信した前記位置情報に基づいてそのマイク送信機の位置を計算したうえ、音声の情報と共に前記受信機へ転送することを特徴とする。
【００１０】
請求項９の発明は、請求項２の発明を方法という見方から捉えたもので、請求項８記載の音声伝送再生方法において、前記マイク送信機における前記転送処理が、受信した前記位置情報に基づいてそのマイク送信機の位置を計算したうえ、音声の情報と共に前記受信機へ転送することを特徴とする。
【００１１】
請求項１７のワイヤレスマイク送信機は、請求項２，９の発明を、送信機単体という見方から捉えたもので、音声の入力、変調及び電波送受信の送信側回路手段を用いて、複数箇所に設置された各位置情報発信機から到来する互いに異なる位置情報を受信するとともに各位置情報の受信状態情報を得る位置情報受信手段と、前記位置情報及び前記受信状態情報をもとにその送信機の立ち位置を計算するとともに、その立ち位置を表す位置データを音声の情報と共に外部の受信機へ転送する転送手段と、を実現することを特徴とする。
【００１２】
請求項２１の音声送信方法は、請求項１７の発明を方法という見方から捉えたもので、音声の入力、変調及び電波送受信の送信側回路手段を備えたワイヤレスマイク送信機が、その送信側回路手段を用いて、複数箇所に設置された各位置情報発信機から到来する互いに異なる位置情報を受信するとともに各位置情報の受信状態情報を得る位置情報受信処理と、前記位置情報及び前記受信状態情報をもとにその送信機の立ち位置を計算するとともに、その立ち位置を表す位置データを音声の情報と共に外部の受信機へ転送する転送処理と、を実行することを特徴とする。
【００１３】
請求項２５の音声送信プログラムは、請求項１７，２１の発明をコンピュータプログラムという見方から捉えたもので、音声の入力、変調及び電波送受信の送信側回路手段を備えたワイヤレスマイク送信機のＣＰＵを制御することにより、その送信側回路手段を用いて、複数箇所に設置された各位置情報発信機から到来する互いに異なる位置情報を受信するとともに各位置情報の受信状態情報を得る位置情報受信処理と、前記位置情報及び前記受信状態情報をもとにその送信機の立ち位置を計算するとともに、その立ち位置を表す位置データを音声の情報と共に外部の受信機へ転送する転送処理と、を実行させることを特徴とする。
【００１４】
請求項１８の受信機は、請求項２，９の発明を、受信機単体という見方から捉えたもので、電波受信、復調及び増幅出力の受信側回路手段を用いて、ワイヤレスマイク送信機から受信した音声の情報から受信音声を復調出力する手段と、前記送信機から送信された位置データを受信すると共に、その位置データからその送信機の立ち位置を取り出す位置認識手段と、複数の各音声出力チャンネルごとの音声出力を互いに異同させることにより、前記立ち位置に対応して音像の位置を制御するサラウンド手段と、を実現することを特徴とする。
【００１５】
請求項２２の音声受信再生方法は、請求項１８の発明を方法という見方から捉えたもので、電波受信、復調及び増幅出力の受信側回路手段を備えた受信機が、その受信側回路手段を用いて、ワイヤレスマイク送信機から受信した音声の情報から受信音声を復調出力する処理と、前記送信機から送信された位置データを受信すると共に、その位置データからその送信機の立ち位置を取り出す位置認識処理と、複数の各音声出力チャンネルごとの音声出力を互いに異同させることにより、前記立ち位置に対応して音像の位置を制御するサラウンド処理と、を実行することを特徴とする。
【００１６】
請求項２６の音声受信再生プログラムは、請求項１８，２２の発明をコンピュータプログラムという見方から捉えたもので、電波受信、復調及び増幅出力の受信側回路手段を備えた受信機のＣＰＵを制御することにより、その受信側回路手段を用いて、ワイヤレスマイク送信機から受信した音声の情報から受信音声を復調出力する処理と、前記送信機から送信された位置データを受信すると共に、その位置データからその送信機の立ち位置を取り出す位置認識処理と、複数の各音声出力チャンネルごとの音声出力を互いに異同させることにより、前記立ち位置に対応して音像の位置を制御するサラウンド処理と、を実行させることを特徴とする。
【００１７】
これらの態様では、さらに、位置情報発信機からの位置情報に基づく送信機の位置計算をマイク送信機側で行うことにより、受信機側において負担が軽くなり、製造コスト、信頼性、体積、重量といった点で優れることに加え、システム変更時も持ち運びしやすいマイク送信機側のみの改修で対応容易となる。
【００１８】
請求項３の発明は、請求項１記載のワイヤレスマイクシステムにおいて、前記マイク送信機の前記転送手段は、受信した前記位置情報をそのまま音声の情報と共に前記受信機へ転送し、前記受信機の前記位置認識手段が、転送を受けた前記位置情報に基づいて前記マイク送信機の位置を計算することを特徴とする。
【００１９】
請求項１０の発明は、請求項３の発明を方法という見方から捉えたもので、請求項８記載の音声伝送再生方法において、前記マイク送信機における前記転送処理は、受信した前記位置情報をそのまま音声の情報と共に前記受信機へ転送し、前記受信機における前記位置認識処理が、転送を受けた前記位置情報に基づいて前記マイク送信機の位置を計算することを特徴とする。
【００２０】
請求項１５のワイヤレスマイク送信機は、請求項３，１０の発明を送信機単体という見方から捉えたもので、音声の入力、変調及び電波送受信の送信側回路手段を用いて、複数箇所に設置された各位置情報発信機から到来する互いに異なる位置情報を受信するとともに各位置情報の受信状態情報を得る位置情報受信手段と、前記受信状態情報を伴わせて前記位置情報を音声の情報と共に外部の受信機へ送信する転送手段と、を実現することを特徴とする。
【００２１】
請求項１９の音声送信方法は、請求項１５の発明を方法という見方から捉えたもので、音声の入力、変調及び電波送受信の送信側回路手段を備えたワイヤレスマイク送信機が、その送信側回路手段を用いて、複数箇所に設置された各位置情報発信機から到来する互いに異なる位置情報を受信するとともに各位置情報の受信状態情報を得る位置情報受信処理と、前記受信状態情報を伴わせて前記位置情報を音声の情報と共に外部の受信機へ送信する転送処理と、を実行することを特徴とする。
【００２２】
請求項２３の音声送信プログラムは、請求項１５，１９の発明をコンピュータプログラムという見方から捉えたもので、音声の入力、変調及び電波送受信の送信側回路手段を備えたワイヤレスマイク送信機のＣＰＵを制御することにより、その送信側回路手段を用いて、複数箇所に設置された各位置情報発信機から到来する互いに異なる位置情報を受信するとともに各位置情報の受信状態情報を得る位置情報受信処理と、前記受信状態情報を伴わせて前記位置情報を音声の情報と共に外部の受信機へ送信する転送処理と、を実行させることを特徴とする。
【００２３】
請求項１６の受信機は、請求項３，１０の発明を受信機単体という見方から捉えたもので、電波受信、復調及び増幅出力の受信側回路手段を用いて、ワイヤレスマイク送信機から受信した音声の情報から受信音声を復調出力する手段と、複数箇所に設置された各位置情報発信機からの互いに異なる位置情報であって前記送信機が受信しその受信状態情報を伴わせて転送のために再発信したものを受信すると共に、その位置情報及び受信状態情報をもとにその送信機の立ち位置を計算する位置認識手段と、複数の各音声出力チャンネルごとの音声出力を互いに異同させることにより、前記立ち位置に対応して音像の位置を制御するサラウンド手段と、を実現することを特徴とする。
【００２４】
請求項２０の音声受信再生方法は、請求項１６の発明を方法という見方から捉えたもので、電波受信、復調及び増幅出力の受信側回路手段を備えた受信機が、その受信側回路手段を用いて、ワイヤレスマイク送信機から受信した音声の情報から受信音声を復調出力する処理と、複数箇所に設置された各位置情報発信機からの互いに異なる位置情報であって前記送信機が受信しその受信状態情報を伴わせて転送のために再発信したものを受信すると共に、その位置情報及び受信状態情報をもとにその送信機の立ち位置を計算する位置認識処理と、複数の各音声出力チャンネルごとの音声出力を互いに異同させることにより、前記立ち位置に対応して音像の位置を制御するサラウンド処理と、を実行することを特徴とする。
【００２５】
請求項２４の音声受信再生プログラムは、請求項１６，２０の発明をコンピュータプログラムという見方から捉えたもので、電波受信、復調及び増幅出力の受信側回路手段を備えた受信機のＣＰＵを制御することにより、その受信側回路手段を用いて、ワイヤレスマイク送信機から受信した音声の情報から受信音声を復調出力する処理と、複数箇所に設置された各位置情報発信機からの互いに異なる位置情報であって前記送信機が受信しその受信状態情報を伴わせて転送のために再発信したものを受信すると共に、その位置情報及び受信状態情報をもとにその送信機の立ち位置を計算する位置認識処理と、複数の各音声出力チャンネルごとの音声出力を互いに異同させることにより、前記立ち位置に対応して音像の位置を制御するサラウンド処理と、を実行させることを特徴とする。
【００２６】
これらの態様では、さらに、位置情報発信機からの位置情報に基づく送信機の位置計算を受信機側で行うので、マイク送信機において負担が軽くなり、製造コスト、信頼性、バッテリ持ち時間、体積、重量といった利点が得られることに加え、システム変更時も受信機側のみの改修で対応可能となる。
【００２７】
請求項４の発明は、請求項１から３のいずれか一項に記載のワイヤレスマイクシステムにおいて、前記位置情報発信機は、予め記憶された位置情報に応じ、ＣＰＵがＶＣＯ（電圧制御発信器）により制御するＵＰ（スキャン）コンバータからの出力を変調器及びＲｆアンプを経て発信することを特徴とする。
【００２８】
請求項１１の発明は、請求項４の発明を方法という見方から捉えたもので、請求項８から１０のいずれか一項に記載の音声伝送再生方法において、前記位置情報発信機は、予め記憶された位置情報に応じ、ＣＰＵがＶＣＯ（電圧制御発信器）により制御するＵＰ（スキャン）コンバータからの出力を変調器及びＲｆアンプを経て発信することを特徴とする。
【００２９】
これらの態様では、さらに、ＣＰＵ、ＶＣＯ、ＵＰコンバータ、変調器、Ｒｆアンプを用いた簡明な構成により高精度で安定動作する位置情報発信機を用いることで、本発明を安く簡単、効果的に実施可能となる。
【００３０】
請求項５の発明は、請求項３又は４記載のワイヤレスマイクシステムにおいて、前記マイク送信機は、ＣＰＵで情報を共有するとともにアンテナ共用器で送受信アンテナを共用する位置情報検出用受信系統及びマイクロホン用送信系統を備え、前記位置情報検出用受信系統は、前記アンテナから前記アンテナ共用器経由で受信した位置情報の信号を、Ｒｆアンプと、前記ＣＰＵがＶＣＯ（電圧制御発信器）により制御するＤＯＷＮ（スキャン）コンバータと、復号器又は復調器の少なくとも一方と、で処理することにより位置情報及びＲＳＳＩ（受信信号強度表示信号）として前記ＣＰＵへ提供し、前記ＣＰＵは前記位置情報及びＲＳＳＩから前記マイク送信機の位置を表す位置データを計算し、前記マイクロホン用送信系統は、マイクロホンからの入力を、マイクアンプと、Ａ／Ｄ変換部と、変調器と、前記ＣＰＵがＶＣＯ（電圧制御発信器）により制御するＵＰ（スキャン）コンバータと、Ｒｆアンプと、で処理するにあたり前記位置データを加えて前記アンテナ共用器経由で前記アンテナから送信することを特徴とする。
【００３１】
請求項１２の発明は、請求項５の発明を方法という見方から捉えたもので、請求項１０又は１１記載の音声伝送再生方法において、前記マイク送信機は、ＣＰＵで情報を共有するとともにアンテナ共用器で送受信アンテナを共用する位置情報検出用受信系統及びマイクロホン用送信系統を備え、前記マイク送信機は前記位置情報検出用受信系統により、前記アンテナから前記アンテナ共用器経由で受信した位置情報の信号を、Ｒｆアンプと、前記ＣＰＵがＶＣＯ（電圧制御発信器）により制御するＤＯＷＮ（スキャン）コンバータと、復号器又は復調器の少なくとも一方と、で処理することにより位置情報及びＲＳＳＩ（受信信号強度表示信号）として前記ＣＰＵへ提供し、前記マイク送信機は前記ＣＰＵにより、前記位置情報及びＲＳＳＩから前記マイク送信機の位置を表す位置データを計算し、前記マイク送信機は前記マイクロホン用送信系統により、マイクロホンからの入力を、マイクアンプと、Ａ／Ｄ変換部と、変調器と、前記ＣＰＵがＶＣＯ（電圧制御発信器）により制御するＵＰ（スキャン）コンバータと、Ｒｆアンプと、で処理するにあたり前記位置データを加えて前記アンテナ共用器経由で前記アンテナから送信することを特徴とする。
【００３２】
これらの態様では、さらに、位置情報検出用の受信系統と、マイクロホン用の送信系統とで、情報とともにＣＰＵを共有し、アンテナも共用することにより、無駄なく低コストでコンパクトなマイク送信機を実現することが可能となる。
【００３３】
請求項６の発明は、請求項１から５のいずれか一項に記載のワイヤレスマイクシステムにおいて、複数の前記マイク送信機ごとにそれぞれ対応する複数の前記受信機に加え、各アンテナが受信した各マイク送信機ごとの信号を対応する各前記受信機に分配する分配手段と、各前記受信機からの前記各マイク送信機ごとのオーディオ出力及び位置データに基づいて各スピーカチャンネル出力を生成するサラウンド合成手段と、を備えたことを特徴とする。
【００３４】
請求項１３の発明は、請求項６の発明を方法という見方から捉えたもので、請求項８から１２のいずれか一項に記載され、複数の前記マイク送信機ごとにそれぞれ対応する複数の前記受信機に加え、アンテナ分配器と、サラウンド合成回路と、を備えた前記ワイヤレスマイクシステムを用いる音声伝送再生方法において、前記アンテナ分配器は、各アンテナが受信した各マイク送信機ごとの信号を対応する各前記受信機に分配する分配処理を行い、前記サラウンド合成回路は、各前記受信機からの前記各マイク送信機ごとのオーディオ出力及び位置データに基づいて各スピーカチャンネル出力を生成するサラウンド合成処理を行うことを特徴とする。
【００３５】
これらの態様では、さらに、複数のマイク送信機ごとにそれぞれ対応する専用の受信機を用いることにより立ち位置の認識を相互干渉なく正確に行える一方、受信アンテナとサラウンド用の多チャンネルスピーカのセットは共用できるので、それぞれマイク送信機を持ったり身につけた複数の話者やアーチスト等が、互いに自由な立ち位置をとるような用途でも、低いコストと高い信頼性で臨場感あふれるサラウンド効果が発揮可能となる。
【００３６】
請求項７の発明は、請求項６記載のワイヤレスマイクシステムにおいて、前記受信機は、前記分配手段から入力され、Ｒｆアンプと、ＣＰＵがＶＣＯ（電圧制御発信器）により制御する各ＤＯＷＮ（スキャン）コンバータと、復号器と、で処理した各アンテナごとの信号のうち、所定の選択回路が受信レベルの高さ及びデータ誤り率の低さの少なくとも一方を含む所定の基準でいずれかの信号を選択し、選択した信号に含まれる音声信号部分は、Ｄ／Ａ変換部及びオーディオアンプを経てオーディオ出力とし、前記選択した信号から得る前記位置情報は前記ＣＰＵによる処理を経て前記マイク送信機の位置を表す位置データとして、前記サラウンド手段に提供するように構成されたことを特徴とする。
【００３７】
請求項１４の発明は、請求項７の発明を方法という見方から捉えたもので、請求項１３記載の音声伝送再生方法において、前記受信機は、選択回路を備え、前記アンテナ分配器から入力され、Ｒｆアンプと、ＣＰＵがＶＣＯ（電圧制御発信器）により制御する各ＤＯＷＮ（スキャン）コンバータと、復号器と、で処理した各アンテナごとの信号のうち、前記選択回路により受信レベルの高さ及びデータ誤り率の低さの少なくとも一方を含む所定の基準でいずれかの信号を選択し、選択した信号に含まれる音声信号部分は、Ｄ／Ａ変換部及びオーディオアンプを経てオーディオ出力とし、前記選択した信号から得る前記位置情報は前記ＣＰＵによる処理を経て前記マイク送信機の位置を表す位置データとして、前記サラウンド合成回路に提供することを特徴とする。
【００３８】
これらの態様では、さらに、複数のアンテナのうち受信状態の優れた信号を用いるダイバーシティ効果により、電波状況の影響を排していつでもどこでも安定して高精度なサラウンド効果を実現することができる。
【発明の効果】
【００３９】
以上のような本発明では、予め数箇所に設置した位置情報発信機からの位置情報をもとに、送信機を持つ話者の立ち位置すなわち音源位置を特定し、それに応じて受信再生側での音像位置を制御することにより、送信機や受信機の位置や電波状況といった環境の影響を受けにくく、安定した高精度なサラウンド効果が実現可能となる。
【発明を実施するための最良の形態】
【００４０】
次に、本発明を実施するための最良の実施形態について、図面を参照して説明する。本実施形態は、全体システムとしてのワイヤレスマイクシステム（以下「本システム」と呼ぶ）、本システムを用いた音声伝送再生方法のほか、単体としてのワイヤレスマイク送信機、音声送信方法及びプログラム、受信機、音声受信再生方法及びプログラムとしても把握可能である。
【００４１】
〔１．概略構成〕
本システムは、図１の全体構成図に示すように、複数の位置情報発信機Ｐ（Ｐ１，Ｐ２…Ｐ５）から発信する位置情報をもとに、一つ以上のワイヤレスマイク送信機（以下「マイク送信機」や「マイクロホン」のようにも表す）Ｍ（Ｍ１，Ｍ２…Ｍｎ）で計算した送信機自体の位置を受信システムＲＳへ伝達してサラウンド効果を実現するものである。受信システムＲＳはさらに、アンテナＡＡ及びＡＢでの各受信信号をアンテナデバイダー（分配器）Ｄにより、各送信機Ｍ（Ｍ１，Ｍ２…Ｍｎ）を担当する各受信機Ｒ（Ｒ１，Ｒ２…Ｒｎ）へ分配し、個々の送信機のオーディオ出力と位置データに基づいて、サラウンド（合成）回路Ｓにより各スピーカーＳＰ（ＳＰ１，ＳＰ２…ＳＰ５）の出力を生成するものである。
【００４２】
〔２．具体的構成及び作用〕
〔２−１．位置情報発信機〕
具体的には、まず、各位置情報発信機Ｐは、本システムを用いる会場の演壇やステージ周囲の複数箇所に設置し互いに異なる位置情報を発信するものである。位置情報の例としては、位置情報発信機Ｐとスピーカーを同数とし、再生時に対応するスピーカー番号に対応する識別番号などが考えられる。位置情報発信機Ｐの例として、図２に例示するように、予め記憶された位置情報２１に応じて、ＣＰＵ２２がＶＣＯ（電圧制御発信器）２３により制御するＵＰ（スキャン）コンバータ２４からの出力を、変調器２５及びＲｆアンプ２６を経て発信するように構成する。これにより、例えば、各位置情報発信機Ｐからの送信周波数が異なるので、送信機Ｍの位置は、例えば、各周波数の電界強度比から特定可能となる。
【００４３】
〔２−２．送信機〕
また、各送信機Ｍは、音声の入力、変調及び電波送受信の送信側回路手段を備え、この送信側回路手段を用いて、各位置情報発信機Ｐから発信される位置情報を受信する位置情報受信手段と、受信した前記位置情報を音声の情報と共に受信機へ転送する転送手段と、を実現している。なお、各位置情報については、その受信時に得られる、ＲＳＳＩ等の受信信号強度や位相ずれといった所定の受信状態情報も、伴うことが前提となる。
【００４４】
ここで、具体的構成例としては、各マイク送信機Ｍは、図３に例示するように、ＣＰＵ３１で情報を共有するとともにアンテナ共用器３２で送受信アンテナ３３を共用する位置情報検出用受信系統Ｋ１及びマイクロホン用送信系統Ｋ２を備え、系統Ｋ１は前記位置情報受信手段にあたり、系統Ｋ１及びＫ２が、前記転送手段を構成している。
【００４５】
このうち、位置情報検出用受信系統Ｋ１は、各位置情報発信機Ｐからアンテナ３３及びアンテナ共用器３２経由で受信した位置情報の信号を、Ｒｆアンプ３４１と、ＣＰＵ３１がＶＣＯ（電圧制御発信器）３５１により制御するＤＯＷＮ（スキャン）コンバータ３６１と、復号器又は復調器の少なくとも一方（３７１）と、で処理することにより位置情報及びＲＳＳＩ（受信信号強度表示信号）としてＣＰＵ３１へ提供し、ＣＰＵ３１は前記位置情報及びＲＳＳＩからそのマイク送信機の位置を表す位置データを計算するように構成される。
【００４６】
また、マイクロホン用送信系統Ｋ２は、マイクロホン（素子）３０からの入力を、マイクアンプ３８と、Ａ／Ｄ変換部３９と、変調器３７２と、ＣＰＵ３１がＶＣＯ（電圧制御発信器）３５２により制御するＵＰ（スキャン）コンバータ３６２と、Ｒｆアンプ３４２と、で処理するにあたり前記位置データを加えてアンテナ共用器３２経由でアンテナ３３から送信するように構成される。
【００４７】
なお、位置情報発信機→マイク送信機、マイク送信機→受信機といった位置情報の伝送は、ＦＳＫ、ＭＳＫ、ＰＳＫ、ＱＡＭなどの変調方式及びＦＤＭＡ，ＴＤＭＡ，ＣＤＭＡ方式など、どのような方式で実現してもよい。
【００４８】
〔２−３．受信システム全体〕
また、本システムでは、複数のマイク送信機Ｍ１，Ｍ２…Ｍｎごとにそれぞれ対応する複数の受信機Ｒ１，Ｒ２…Ｒｎと、アンテナデバイダーＤと、サラウンド回路Ｓと、が受信システムＲＳを構成している。このうち、アンテナデバイダーＤは、各アンテナＡＡ，ＡＢ（例えば図４）が受信した各マイク送信機Ｍごとの信号を対応する各前記受信機Ｒ１，Ｒ２…Ｒｎに分配する分配手段であり、図４に例示するようなアンテナに対し、図５に例示するような形で、アンテナＡＡ用とアンテナＡＢ用にそれぞれ設けてもよい。この場合、図１に例示するように、各受信機Ｒには、アンテナＡＡからの信号ｓＡと、アンテナＡＢからの信号ｓＢが入力される。
【００４９】
また、各受信機Ｒは、電波受信、復調及び増幅出力の受信側回路手段を備え、この受信側回路手段により、受信した音声の情報から受信音声を復調出力すると共に、上記のように各送信機Ｍから送信された前記位置情報に基いてその送信機Ｍの位置している立ち位置を認識する位置認識手段と、複数の各スピーカごとの音声出力を互いに異同させることにより、前記立ち位置に対応して音像の位置を制御するサラウンド手段と、を実現している。本システムでは、サラウンド回路Ｓも前記サラウンド手段を構成し、各受信機Ｒからの各マイク送信機Ｍごとのオーディオ出力及び位置データに基づいて、各スピーカーＳＰ（ＳＰ１，ＳＰ２…ＳＰ５）の各スピーカチャンネル出力を生成するサラウンド合成手段となっている。
【００５０】
〔２−４．受信機と位置の計算〕
そして、サラウンド効果の基礎となる各マイク送信機Ｍごとの立ち位置は、対応する各受信機Ｒが出力する。すなわち、各受信機Ｒは、図６に例示するように、分配手段であるアンテナデバイダーＤから入力され、Ｒｆアンプ６１１と、ＣＰＵ６２がＶＣＯ（電圧制御発信器）６３により制御する各ＤＯＷＮ（スキャン）コンバータ６２１，６２２と、復号器６３１，６３２と、で処理した各アンテナごとの信号のうち、選択回路６４が受信レベルの高さ及びデータ誤り率の低さの少なくとも一方を含む所定の基準でいずれかの信号を選択し、選択した信号に含まれる音声信号部分は、Ｄ／Ａ変換部６５及びオーディオアンプ６６を経てオーディオ出力とし、選択回路６４が選択した信号から得る位置情報はＣＰＵ６２による処理を経て、マイク送信機Ｍの位置を表す位置データとしてサラウンド回路Ｓに提供する。
【００５１】
〔２−５．配置と処理の例〕
例えば、図７に例示するように、矩形の場内の中央及び壁際の数箇所にそれぞれ、位置情報発信機Ｐ１，Ｐ２…Ｐ７を設置し、壁際二箇所にアンテナＡＡ，ＡＢを設け、数本のマイク送信機Ｍ１〜Ｍ４を用いるものとする。位置情報発信機Ｐ１，Ｐ２…Ｐ７は、それぞれ円で示す電波到達エリアを持ち、エリア同士が一部重なるように配置する。
【００５２】
この場合、例えば送信機Ｍ１は、位置情報発信機Ｐ２からの位置情報のみを受信するので、その立ち位置も位置情報発信機Ｐ２付近と計算される。また、送信機Ｍ２は、位置情報発信機Ｐ３からの位置情報をやや強く、位置情報発信機Ｐ１からの位置情報をやや弱く受信するので、その立ち位置も位置情報発信機Ｐ１よりもやや位置情報発信機Ｐ３寄りと計算される。
【００５３】
また、送信機Ｍ３は、位置情報発信機Ｐ５とＰ６からの各位置情報を同程度に受信するので、その立ち位置も位置情報発信機Ｐ５とＰ６の中間付近と計算される。また、送信機Ｍ４は、位置情報発信機Ｐ７からの位置情報のみを受信するので、その立ち位置も位置情報発信機Ｐ７付近と計算される。
【００５４】
〔３．効果〕
以上のように、本実施形態では、予め数箇所に設置した位置情報発信機からの位置情報をもとに、送信機を持つ話者の立ち位置すなわち音源位置を特定し、それに応じて受信再生側での音像位置を制御することにより、送信機や受信機の位置や電波状況といった環境の影響を受けにくく、安定した高精度なサラウンド効果が実現できるワイヤレスマイクの技術を提供することが可能となる。
【００５５】
また、本実施形態では、さらに、位置情報発信機からの位置情報に基づく送信機の位置計算をマイク送信機側で行うことにより、受信機側において負担が軽くなり、製造コスト、信頼性、体積、重量といった点で優れることに加え、システム変更時も持ち運びしやすいマイク送信機側のみの改修で対応容易となる。
【００５６】
本実施形態では、さらに、位置情報発信機として、図２に示したように、ＣＰＵ、ＶＣＯ、ＵＰコンバータ、変調器、Ｒｆアンプを用いた簡明な構成により高精度で安定動作する位置情報発信機を用いることで、本発明を安く簡単、効果的に実施可能となる。
【００５７】
本実施形態では、さらに、マイク送信機として、図３に示したように、位置情報検出用の受信系統と、マイクロホン用の送信系統とで、情報とともにＣＰＵを共有し、アンテナも共用することにより、無駄なく低コストでコンパクトなマイク送信機を実現することが可能となる。
【００５８】
本実施形態では、さらに、図１に示したように、複数のマイク送信機ごとにそれぞれ対応する専用の受信機を用いることにより立ち位置の認識を相互干渉なく正確に行える一方、受信アンテナとサラウンド用の多チャンネルスピーカのセットは共用できるので、それぞれマイク送信機を持ったり身につけた複数の話者やアーチスト等が、互いに自由な立ち位置をとるような用途でも、低いコストと高い信頼性で臨場感あふれるサラウンド効果が発揮可能となる。
【００５９】
本実施形態では、さらに、図６に示したように、複数のアンテナのうち受信状態の優れた信号を用いるダイバーシティ効果により、電波状況の影響を排していつでもどこでも安定して高精度なサラウンド効果を実現することができる。
【００６０】
〔４．他の実施形態〕
なお、本発明は、上記実施形態に限定されるものではなく、以下に例示するもの及びそれ以外のものを含む他の実施形態も含むものである。例えば、上記実施形態では、送信機側で受信した位置情報と受信状態情報に基づいてそのマイク送信機自体の位置まで計算したうえ、それを音声の情報と共に受信機へ転送する例を示したが、マイク送信機が受信し受信状態情報を伴う生の位置情報をそのまま音声の情報と共に前記受信機へ転送し、それをもとに受信機側で送信機の位置を計算するようにしてもよい。
【００６１】
このように、位置情報発信機からの位置情報に基づく送信機の位置計算を受信機側で行うことにより、マイク送信機において負担が軽くなり、製造コスト、信頼性、バッテリ持ち時間、体積、重量といった利点が得られることに加え、システム変更時も受信機側のみの改修で対応可能となる。
【００６２】
また、上記実施形態では、サラウンド回路Ｓによりサラウンド手段の役割を果たすことができるが、マイクが単一の場合は受信機Ｒも単一でよく、サラウンド回路Ｓと一体に構成可能である。
【００６３】
また、上記実施形態では、図１や図７に示すように、矩形の会場等の二次元空間に３つ以上の位置情報発信機Ｐを配置する例を示したが、図８に示すように、最低二つの位置情報発信機ＰＲ，ＰＬを用いて左右のステレオ位置のみを計算したりサラウンド効果で実現する例も、本発明の実現態様である。
【図面の簡単な説明】
【００６４】
【図１】本発明の実施形態を示す構成図。
【図２】本発明の実施形態における位置情報発信機の構成を示すブロック図。
【図３】本発明の実施形態における送信機の構成を示すブロック図。
【図４】本発明の実施形態におけるアンテナを例示するブロック図。
【図５】本発明の実施形態における分配器を例示するブロック図。
【図６】本発明の実施形態における受信機を例示するブロック図。
【図７】本発明の実施形態において、矩形空間内での機器配置を例示する配置図。
【図８】本発明の実施形態において、左右ステレオのみの機器配置を例示する配置図。
【符号の説明】
【００６５】
Ｐ…位置情報発信機
Ｍ（Ｍ１，Ｍ２…Ｍｎ）…マイク送信機（マイクロホン）
ＡＡ，ＡＢ…アンテナ
Ｄ…アンテナデバイダー
ｓＡ，ｓＢ…信号
Ｒ（Ｒ１，Ｒ２…Ｒｎ）…受信機
Ｓ…サラウンド回路
ＳＰ（ＳＰ１，ＳＰ２…ＳＰ５）…スピーカー
【図１】
2006060615.tif 000003
【図２】
2006060615.tif 000004
【図３】
2006060615.tif 000005
【図４】
2006060615.tif 000006
【図５】
2006060615.tif 000007
【図６】
2006060615.tif 000008
【図７】
2006060615.tif 000009
【図８】
2006060615.tif 000010